(57)【要約】【課題】壁部への付着物の付着を抑制することが可能なサイフォン排水システム用貯留槽を提供する。【解決手段】貯留槽５０の個別貯留空間５２Ｃ内の仕切壁部５４には、第１水流変更部材６４、第２水流変更部材６６が固定されている。第１水流変更部材６４は、流入口５３Ｃと対向する位置に配置され、第２水流変更部材６６は、第１水流変更部材６４と間隔をあけて流出口５５Ｃ側に配置されている。第１水流変更部材６４には、流入口５３Ｃから流入する排水を受けると共に第２水流変更部材６６へ向かって流す、Ｒ形状の第１水流変更面６４Ａが形成されている。第２水流変更部材６６には、第１水流変更部材６４側からの水流を受けると共に水流の一部を第１角部６１へ向かって流す第２水流変更面６６Ａ、及び、第２水流変更面６６Ａよりも下流側で第２水流変更面６６Ａを通過した水流の一部を第２角部６２へ向かって流す第３水流変更面６６Ｂが形成されている。【選択図】図５
2010270465.tif 000002
【特許請求の範囲】
【請求項１】
サイフォン排水システムにおいて、水廻り器具から排出された排水を一時的に貯留する貯留槽であって、
排水を貯留する貯留空間を構成する壁部と、
前記壁部に構成され、水廻り器具から排出された排水を前記貯留空間へ流入させる流入口と、
前記壁部に構成され、前記貯留空間から前記排水をサイフォン排水管へ流出させる流出口と、
前記貯留空間内に配置され、前記流入口よりも前記流出口側で排水が滞留する位置の壁部に向かって流れるように、前記流入口から流入された排水の流れる方向を変える水流方向変更手段と、
を備えた、サイフォン排水システム用貯留槽。
【請求項２】
前記壁部は、側壁部、天井部、及び底部を有し、前記水流方向変更手段は、前記側壁部、天井部、底部、の少なくとも１箇所から前記貯留空間内に突出した突起形状とされていること、を特徴とする請求項１に記載のサイフォン排水システム用貯留槽。
【請求項３】
前記水流方向変更手段は、前記流出口側の角部に向かって流れるように、前記流入口から流入された排水の水流方向を変更すること、を特徴とする請求項１または請求項２に記載の、サイフォン排水システム用貯留槽。
【請求項４】
前記角部は前記流出口を挟んで両側に２箇所に構成されており、前記水流方向変更手段は、前記流入口から流入された排水を２分すると共に、２分された排水の一方が１の前記角部へ向かうように水流方向を変更する第４水流変更面と、２分された排水の他方が他の前記角部へ向かうように水流方向を変更する第５水流変更面と、を有すること、を特徴とする請求項３に記載のサイフォン排水システム用貯留槽。
【請求項５】
前記水流方向変更手段は、前記流入口から流入された排水の水流方向を２方向以上に分流変更すること、を特徴とする請求項１〜請求項３のいずれか１項に記載のサイフォン排水システム用貯留槽。
【請求項６】
請求項１〜請求項５のいずれか１項に記載のサイフォン排水システム用貯留槽を備えた、サイフォン排水システム。
【発明の詳細な説明】
【技術分野】
【０００１】
本発明は、サイフォン排水システム、及び、サイフォン排水システムに用いられるサイフォン排水システム用貯留槽に関する。
【背景技術】
【０００２】
近年、従来の勾配排水システムに代わって、サイフォン排水システムが提案されている。サイフォン排水システムは、特許文献１に記載されるように、水廻り器具とサイフォン排水管とで構成されており、サイフォン排水管の垂下部をなす竪管にて発生するサイフォン力（負圧力）を利用して、水廻り器具からの排水効率を向上させるシステムである。
【０００３】
そして、更に、サイフォン排水システムにおいて、排水システム中に、水廻り器具からの排水を一時的に貯留する貯留槽を設置することも提案されている。
【０００４】
サイフォン排水システムでは、排水の開始からサイフォン力起動までにタイムラグがあるため、排水量が多い場合、水廻り器具に排水が溢れるということが起こりうるが、このタイムラグ時の排水の溢れを、貯留槽への排水貯留により解消することができる。すなわち、貯留槽が満水になるまでは、水廻り器具からの排水を貯留槽に溜めることにより、水廻り器具からの排水を行わせることができる（特許文献２参照）。
【先行技術文献】
【特許文献】
【０００５】
【特許文献１】特開平６−４２０１９号公報
【特許文献２】特開２００６−３３６３２２号公報
【発明の概要】
【発明が解決しようとする課題】
【０００６】
ところで、貯留槽を設けて、排水を一時的に貯留槽に溜める構成とした場合には、貯留槽の内部の汚れに対する対策が必要となる。貯留槽の壁面にスケールなどの汚れが付着すると、この付着物によって、貯留槽内で排水の流れが阻害される、付着物の堆積により貯留槽の容積が減少する、などの問題が発生することが考えられる。更に、一旦付着物が付着すると、その付着物を核として付着物が大きくなったり、付着物が貯留槽自体の物性に影響を与えて劣化が進んだりするということも考えられる。
【０００７】
本発明は、上記事実に鑑みてなされたものであり、付着物の付着を抑制することの可能なサイフォン排水システム用貯留槽、及び、このサイフォン排水システム用貯留槽を備えたサイフォン排水システムを提供することを目的とする。
【課題を解決するための手段】
【０００８】
本発明の請求項１に記載のサイフォン排水システム用貯留槽は、サイフォン排水システムにおいて、水廻り器具から排出された排水を一時的に貯留する貯留槽であって、排水を貯留する貯留空間を構成する壁部と、前記壁部に構成され、水廻り器具から排出された排水を前記貯留空間へ流入させる流入口と、前記壁部に構成され、前記貯留空間から前記排水をサイフォン排水管へ流出させる流出口と、前記貯留空間内に配置され、前記流入口よりも前記流出口側で排水が滞留する位置の壁部に向かって流れるように、前記流入口から流入された排水の流れる方向を変える水流方向変更手段と、を備えている。
【０００９】
本発明のサイフォン排水システム用貯留槽は、貯留空間内に、水流方向変更手段が配置されている。水流方向変更手段は、排水の流入口よりも流出口側で排水が滞留する位置の壁部に向かって流れるように、流入口から流入された排水の流れる方向を変える。ここでの排水の滞留は、水流方向変更手段が配置されない場合における貯留空間内の排水の滞留を意味する。
【００１０】
貯留空間を構成する壁部において、付着物の付着が多い部分は、排水の流出口側で排水が滞留する部分であることが、実験により明らかになった。そこで、本発明では、排水の流出口側で排水が滞留する位置の壁部に向かって流れるように、流入口から流入された排水の水流方向を変更する。これにより、排水が滞留する位置の壁部に水流が当たるため、壁部への付着物の付着を抑制することができる。
【００１１】
請求項２に記載のサイフォン排水システム用貯留槽は、前記壁部が、側壁部、天井部、及び底部を有し、前記水流方向変更手段は、前記側壁部、天井部、底部、の少なくとも１箇所から前記貯留空間内に突出した突起形状とされていること、を特徴とする。
【００１２】
このように、水流方向変更手段を、側壁部、天井部、底部、の少なくとも１箇所から貯留空間内に突出した突起形状とすることにより、流入口から流入した排水の水流方向を変更することができる。
【００１３】
請求項３に記載のサイフォン排水システム用貯留槽は、前記水流方向変更手段が、前記流出口側の角部に向かって流れるように、前記流入口から流入された排水の水流方向を変更すること、を特徴とする。
【００１４】
ここでの角部は、Ｒ形状の角部を含んでいる。流出口側の角部には、特に付着物が付着しやすいことから、水流方向変更手段によって当該角部へ水流を向かわせることにより、効果的に付着物の付着を抑制することができる。
【００１５】
請求項４に記載のサイフォン排水システム用貯留槽は、前記角部が前記流出口を挟んで両側に２箇所に構成されており、前記水流方向変更手段は、前記流入口から流入された排水を２分すると共に、２分された排水の一方が１の前記角部へ向かうように水流方向を変更する第４水流変更面と、２分された排水の他方が他の前記角部へ向かうように水流方向を変更する第５水流変更面と、を有すること、を特徴とする。
【００１６】
上記構成によれば、第４水流変更面と第５水流変更面を設ける簡易な構成により、流出口の両側の角部の各々に水流を当てることができる。
【００１７】
請求項５に記載のサイフォン排水システム用貯留槽は、前記水流方向変更手段が、前記流入口から流入された排水の水流方向を２方向以上に分流変更すること、を特徴とする。
【００１８】
このように、水流を２方向以上に分流することにより、壁部の複数箇所に水流を当てることができ、壁部への付着物の付着を、効果的に抑制することができる。
【００１９】
請求項６に記載のサイフォン排水システムは、請求項１〜請求項５のいずれか１項に記載のサイフォン排水システム用貯留槽を備えたものである。
【００２０】
本発明のサイフォン排水システムは、貯留槽への付着物の付着が抑制されているので、良好なサイフォン排水を維持することができる。
【発明の効果】
【００２１】
本発明は上記のように貯留空間に水流方向変更手段を設けたので、壁部への付着物の付着を抑制することができる。
【図面の簡単な説明】
【００２２】
【図１】本実施形態に係るサイフォン排水システムの全体構成を示す概略図である。
【図２】本実施形態に係る貯留槽と各種配管を示す斜視図である。
【図３】本実施形態に係る貯留槽の内部を示す斜視図である。
【図４】本実施形態に係る貯留槽の内部を示す断面図である。
【図５】本実施形態に係る貯留槽の内部を上面からみた図である。
【図６】本実施形態に係る第３水流変更部材の一例を示す斜視図である。
【図７】貯留槽の流出口付近の水位の変化と内壁に付着物が付着する様子を示す説明図である。
【図８】貯留槽の全体としての水位の変化を示す説明図である。
【図９】本実施形態の変形例に係る貯留槽の内部を上面からみた図である。
【図１０】本実施形態の他の変形例に係る貯留槽の内部を上面からみた図である。
【図１１】本実施形態の他の変形例に係る貯留槽の内部を上面からみた図である。
【図１２】本実施形態の他の変形例に係る貯留槽の内部を上面からみた図である。
【図１３】本実施形態の他の変形例に係る貯留槽の内部を上面からみた図である。
【図１４】本実施形態の他の変形例に係る貯留槽の内部を上面からみた図である。
【図１５】本実施形態の他の変形例に係る貯留槽の内部を上面からみた図である。
【図１６】従来例の貯留槽の内部を上面からみた図である。
【発明を実施するための形態】
【００２３】
以下に、本発明に係る実施形態を図面に基づき説明する。
【００２４】
まず、本実施形態に係るサイフォン排水システムの全体構成を説明する。図１には、本実施形態に係るサイフォン排水システムの全体構成が概略図にて示されている。
【００２５】
本実施形態に係るサイフォン排水システム１０は、サイフォン力を利用して水廻り器具からの排水を効率よく排出する排水システムである。
【００２６】
本実施形態のサイフォン排水システム１０は、主に複数階で構成された集合住宅などに用いられる。図１に示すように、サイフォン排水システム１０は、排水を下方へ流す排水立て管１２を備えている。
【００２７】
集合住宅の各階の各戸には、複数の水回り器具１６が設けられており、この水回り器具１６には、水回り器具１６から排出される排水を流す排水導入管１８の一端がそれぞれ接続されている。なお、水回り器具１６は、単数であってもよい。排水導入管１８の他端は、貯留槽５０と接続されている。排水導入管１８は、貯留槽５０側が低くなるように勾配をもって配設されている。排水導入管１８は、このように勾配をもって配設されることが好ましいが、無勾配であってもよい。
【００２８】
貯留槽５０は、水廻り器具１６からの排水を一時貯留するためのものである。図２に示すように、貯留槽５０は、外壁部５１Ａ、底部５１Ｂ、蓋部５１Ｃを備えている。貯留槽５０の内部には、図３に示すように、貯留空間５２が構成されている。貯留空間５２は、仕切壁部５４によって３つの個別貯留空間５２Ａ、５２Ｂ、５２Ｃに区画されている。なお、貯留空間５２は、このように区画されていることが好ましいが、必ずしも複数空間に区画されている必要はなく、仕切壁部のない構成とすることもできる。図４（Ｂ）にも示すように、仕切壁部５４は、上方で個別貯留空間５２Ａ、５２Ｂ、５２Ｃが互いに連通するように、外壁部５１Ａの最上部よりも若干低い位置までの配置とされている。これにより、３つの個別貯留空間５２Ａ〜５２Ｃは、上部で互いに連通され、水位の上昇した１つの個別貯留空間５２から他の個別貯留空間５２へ排水を流入させることが可能となっている。
【００２９】
外壁部５１Ａには、個別貯留空間５２Ａ、５２Ｂ、５２Ｃの各々に対応する位置に、流入口５３Ａ、５３Ｂ、５３Ｃが構成されている。前述した水廻り器具１６からの複数の排水導入管１８は、流入口５３Ａ、５３Ｂ、５３Ｃを介して、個別貯留空間５２Ａ、５２Ｂ、５２Ｃ、へ各々連通されている。
【００３０】
また、外壁部５１Ａには、個別貯留空間５２Ａ、５２Ｂ、５２Ｃの各々に対応する位置に、流出口５５Ａ、５５Ｂ、５５Ｃが構成されている。流出口５５Ａ、５５Ｂ、５５Ｃの各々には、サイフォン排水管２２Ａ、２２Ｂ、２２Ｃが接続されている（これらをまとめて「サイフォン排水管２２」という）。
【００３１】
サイフォン排水管２２は、図１に示すように、床スラブ１４に沿って配設される横引き管２４と、この横引き管２４と連通する竪管２６とを備えて構成されている。横引き管２４は、貯留槽５０と連通され、床スラブ１４上で水平方向に無勾配で配設されている。横引き管２４と連通する竪管２６は、排水立て管１２に沿って、上下方向（鉛直方向）に配設されている。この竪管２６は、合流部継手４０を介して排水立て管１２と連結されている。合流部継手４０は、竪管２６からの排水を排水立て管１２へ合流させる。
【００３２】
横引き管２４及び竪管２６は、１本の排水管で構成され（複数の部材を繋ぎ合わせて１本の排水管を構成する場合を含む）、合流部継手４０までは他の排水管と途中で合流することなく、排水立て管１２へ排水を導くようになっている。また、横引き管２４及び竪管２６は、排水が満流で流れるように管の内径が設定されている。横引き管２４内の排水には、サイフォン水頭Ｈｓのエネルギーにより、排水方向へ向かうサイフォン力が作用される。
【００３３】
貯留槽５０の蓋部５１Ｃには、個別貯留空間５２Ａ〜５２Ｃを跨ぐように、上側に凸状の通気部３１が構成されている。通気部３１には、通気管３０の一端側が接続されている。通気管３０の他端側は、合流部継手４０を介して排水立て管１２と連結されている。通気管３０により、貯留槽５０の内部を大気圧にすることができる。なお、通気管３０に代えて、貯留槽５０内外の通気を行う通気弁を用いてもよい。また、通気管３０や通気弁は、設置されることが好ましいが、必須の構成ではない。
【００３４】
図５に示されるように、貯留槽５０の個別貯留空間５２Ｃの排出口５５Ｃ側には、第１角部６１、第２角部６２が構成されている。第１角部６１、第２角部６２は、後述する第１水流変更部材６４、第２水流変更部材６６が設けられていない状態では、特に、個別貯留空間５２Ｃの流出口５５Ｃ側で排水の滞留する箇所となっている。また、貯留槽５０の個別貯留空間５２Ｂの排出口５５Ｂ側には、第３角部６３、第４角部６７が構成されている。第３角部６３、第４角部６７は、後述する第３水流変更部材６８が設けられていない状態では、特に、個別貯留空間５２Ｂの流出口５５Ｂ側で排水の滞留する箇所となっている。
【００３５】
貯留槽５０の個別貯留空間５２Ｃ内の仕切壁部５４には、第１水流変更部材６４、第２水流変更部材６６が固定されている。第１水流変更部材６４は、流入口５３Ｃと対向する位置に配置され、第２水流変更部材６６は、第１水流変更部材６４と間隔をあけて流出口５５Ｃ側に配置されている。第１水流変更部材６４には、流入口５３Ｃから流入する排水を受けると共に第２水流変更部材６６へ向かって流す、Ｒ形状の第１水流変更面６４Ａが形成されている。第２水流変更部材６６には、第１水流変更部材６４側からの水流を受けると共に水流の一部を第１角部６１へ向かって流す第２水流変更面６６Ａ、及び、第２水流変更面６６Ａよりも下流側で第２水流変更面６６Ａを通過した水流の一部を第２角部６２へ向かって流す第３水流変更面６６Ｂが形成されている。
【００３６】
貯留槽５０の個別貯留空間５２Ｂ内の底部５１Ｂには、第３水流変更部材６８が固定されている。第３水流変更部材６８は、流入口５３Ｂと対向する位置で、わずかに流出口５５Ｂ側に配置されている。第３水流変更部材６８は、上側からみて三角形状とされており、流入口５３Ｂ側に頂点が向くように配置されている。
【００３７】
なお、第３水流変更部材６８は、三角柱形状とすることも、図６（Ａ）に示すように、三角錐形状とすることも、図６（Ｂ）に示すように、図６（Ａ）の第４水流変更面６８Ａ、６８ＢがＲ状とされた形状とすることもできる。
【００３８】
第３水流変更部材６８の流入口５３Ｂ側の頂点を挟んで両側には、第４水流変更面６８Ａ、及び、第５水流変更面６８Ｂが形成されている。第４水流変更面６８Ａは、流入口５３Ｂから流入する排水を受けると共に、排水が第３角部６３へ向かうように水流方向を変更している。第５水流変更面６８Ｂは、流入口５３Ｂから流入する排水を受けると共に、排水が第４角部６７へ向かうように水流方向を変更している。
【００３９】
なお、個別貯留空間５２Ａ内の底部５１Ｂにも、第３水流変更部材６８と同様の第３水流変更部材６８が固定されている。
【００４０】
次に、本実施形態のサイフォン排水システム１０での排水について説明する。
【００４１】
水廻り器具１６からの排水は、排水導入管１８を経て貯留槽５０へ流入する。排水導入管１８からの排水は、まず、各々の排水導入管１８が接続された貯留空間５２（個別貯留空間５２Ａ〜５２Ｃ）へ流入する。
【００４２】
個別貯留空間５２Ａ〜５２Ｃに流入した排水は、個別貯留空間５２Ａ〜５２Ｃに接続されたサイフォン排水管２２Ａ〜２２Ｃから排出される。排水導入管１８からの流入量が、サイフォン力の起動前におけるサイフォン排水管２２Ａ〜２２Ｃでの排水量を上回ると、個別貯留空間５２Ａ〜５２Ｃの貯留水位が上がる。このとき、図７（Ａ）に示すように、排水中に含まれる、油脂分、洗剤泡などの比重が水よりも軽い成分（浮遊物Ｄ）が水面に浮いた状態となる。油脂分、洗剤泡などは、スケールなどの付着物の原因となるものである。この状態で、サイフォン排水管２２Ａ〜２２Ｃでのサイフォン力が起動すると、図７（Ｂ）に示すように、流出口５５Ａ〜５５Ｃ近傍における水位が、急激に下がる。これにより、水面の浮遊物Ｄが、流出口５５Ａ〜５５Ｃ付近の外壁部５１Ａの内側に付着する。このように付着した浮遊物が、スケールなどの付着物になって、特に角部に堆積すると考えられる。
【００４３】
一方、流出口５５Ａ〜５５Ｃから遠い位置の外壁部５１Ａでは、図８（Ａ）のように水位が上昇した状態から、サイフォン力が起動して水位が下がっても、図８（Ｂ）に示すように、流出口５５Ａ〜５５Ｃと比較して水位が急激に下がることはなく、比較的緩やかに下がる。したがって、流入口５３Ａ〜５３Ｃ側では、浮遊物Ｄの外壁部５１Ａへの付着は少ないと考えられる。
【００４４】
ここで、第１水流変更部材６４、第２水流変更部材６６を配置しない場合の、個別貯留空間５２Ｃにおける排水の流れＦは、図１６に示すように、仕切壁部５４に当たった後、第２角部６２側へ向かう。第２角部６２を構成する外壁部５１Ａ及び仕切壁部５４には、付着物Ｄが付着した後、粉砕された形跡が確認されている。一方、第１角部６１を構成する外壁部５１Ａの内側には、大量の付着物の付着が確認され、付着物が粉砕されたり剥がれたりした形跡は確認されていない。
【００４５】
そこで、本実施形態では、個別貯留空間５２Ｃに第１水流変更部材６４、第２水流変更部材６６を配置し、個別貯留空間５２Ａ、５２Ｂに第３水流変更部材６８を配置している。
【００４６】
図５に示すように、個別貯留空間５２Ｃへ排水が流入すると、排水は、第１水流変更部材６４の第１水流変更面６４Ａに当たって第２水流変更部材６６へ向かうように水流方向が変更される。排水は、第２水流変更部材６６へ向かって流れ、第２水流変更面６６Ａにより更に水流方向が変更されて、一部が第１角部６１へ向かって流れ、一部が第３水流変更面６６Ｂを経て第２角部６２へ向かって流れる。これにより、第１角部６１、第２角部６２へ向かって流れる水流が発生し、第１角部６１、第２角部６２近傍の外壁部５１Ａに勢いよく当たることにより、第１角部６１、第２角部６２近傍の外壁部５１Ａに付着している付着物を破砕したり、剥がしたりすることができる。したがって、特に付着物が付着して蓄積されやすい外壁部５１Ａの部分への付着物の蓄積を抑制することができる。
【００４７】
また、個別貯留空間５２Ｂへ排水が流入すると、排水は、第３水流変更部材６８の頂部で２分され、第４水流変更面６８Ａ側の排水は第３角部６３へ向かって流れるように水流方向が変更され、第５水流変更面６８Ｂ側の排水は第４角部６７へ向かって流れるように水流方向が変更される。これにより、第３角部６３、第４角部６７へ向かって流れる水流が発生し、第３角部６３、第４角部６７近傍の外壁部５１Ａに勢いよく当たることにより、第３角部６３、第４角部６７近傍の外壁部５１Ａに付着している付着物を破砕したり、剥がしたりすることができる。したがって、特に付着物が付着して蓄積されやすい外壁部５１Ａの部分への付着物の蓄積を抑制することができる。
【００４８】
なお、本実施形態では、第１水流変更部材６４、第２水流変更部材６６、を仕切壁部５４に沿って配置したが、これらを他の位置に配置したり、他の形状としたりしてもよい。例えば、図９に示すように、第２水流変更部材６６に代えて、第４水流変更部材６５を流入口５３Ｃの近傍に配置してもよい。第４水流変更部材６５には、流入口５３Ｃからの排水の一部（約半分）を受けて第１角部６１へ向かって流れるように水流方向を変更する第６水流変更面６５Ａが構成されている。流入口５３Ｃからの排水の一部は、第４水流変更部材６５によって第１角部６１へ向かって流れる水流となり、排水の他の一部は第１水流変更部材６４によって第１角部６１へ向かって流れる水流となる。このような構成とすることによっても、第１角部６１、第２角部６２近傍の外壁部５１Ａに付着している付着物を破砕したり、剥がしたりすることができる。
【００４９】
また、本実施形態では、２個の第１水流変更部材６４、第２水流変更部材６６を設けた例について説明したが、図１０に示すように、第１水流変更部材６４のみを設けてもよい。第２水流変更部材６６を設けない場合であっても、第１水流変更部材６４が設置されていることにより、流入口５３Ｃから流入した排水が仕切壁部５４に直接当たる場合と比較して、第２角部６２へ勢いのある水流を当てることができる。
【００５０】
また、本実施形態の個別貯留空間５２Ｃの流入口５３Ｃは、仕切壁部５４へ向かって排水を流入させる位置に構成されているが、図１１に示すように、流入口５３Ｃは、流出口５５Ｃと対向する位置に構成することもできる。この場合には、第１水流変更部材６４、第２水流変更部材６６に代えて、個別貯留空間５２Ｂと同様の位置に、第３水流変更部材６８と同様のものを固定して、流入口５３Ｃからの排水の水流方向の変更を行うことができる。
【００５１】
また、本実施形態では、第１水流変更部材６４、第２水流変更部材６６を仕切壁部５４に固定し、第３水流変更部材６８を底部５１Ｂに固定した例について説明したが、これらの水流変更部材は、他の部分、例えば、蓋部５１Ｃに固定してもよい。図１２には、第２水流変更部材６６が蓋部５１Ｃに固定されている例が示されている。
【００５２】
また、水流変更部材は、外壁部５１Ａ、底部５１Ｂ、蓋部５１Ｃ、仕切壁部５４とは別部材として外壁部５１Ａ、底部５１Ｂ、蓋部５１Ｃ、仕切壁部５４へ固定することにより設置することができる。また、水流変更部材は、外壁部５１Ａ、底部５１Ｂ、蓋部５１Ｃ、仕切壁部５４と一体的に構成し、外壁部５１Ａ、底部５１Ｂ、蓋部５１Ｃ、仕切壁部５４の一部が、貯留空間５２内に突出した形状とすることもできる。
【００５３】
また、本実施形態では、１の個別貯留空間に１つの流入口が構成されている例について説明したが、流入口は複数構成することもできる。図１３には、個別貯留空間５２Ｃに２つの流入口５３Ｃ−１、５３Ｃ−２が構成されている例が示されている。
【００５４】
さらに、本実施形態の第３水流変更部材６８は、図１４（Ａ）に示すように、上面からみで三角形状とされていたが、他の形状、例えば、図１４（Ｂ）に示すように、第４水流変更面６８Ａ、第５水流変更面６８Ｂが内側に凹のＲとなるような形状とすることもできる。また、図１４（Ｃ）に示すように、流入口５３Ｃ側の第４水流変更面６８Ａ、第５水流変更面６８Ｂを外側に凸となるＲ状とすると共に、流出口５５Ｃ側を外壁部５１Ａと平行にする形状とすることもできる。また、図１４（Ｄ）に示すように、第４水流変更面６８Ａ、第５水流変更面６８Ｂが内側に凹のＲとなるような形状にすると共に、流出口５５Ｃ側の面を外側に凸のＲ形状にすることもできる。また、図１５（Ｅ）に示すように、三角形の３面を外側に凸のＲ形状とすることもできる。また、図１５（Ｆ）に示すように、ダイヤモンド形状とすることもできる。また、図１５（Ｇ）に示すように、ホームベース形状（５角形）とすることもできる。
【００５５】
また、貯留槽５０内の貯留空間５２の区画や、各区画（個別貯留空間）に対する流入口、流出口の位置は、貯留槽５０の設置位置、他の配管や設置物との関係により、種々のパターンが設定され得るが、水流変更部材の形状や設置位置は、これらに応じて適切に水流方向の変更が行われるように、設定を変えることができる。
【００５６】
以上説明したように、本実施形態によれば、個別貯留空間５２Ａ〜５２Ｃに水流変更部材が設けられていて、付着物の蓄積されやすい部分へ向かって水流方向を変更するので、水流が当たることにより付着物を粉砕させたり、剥がしたりすることによって、付着物の蓄積を抑制することができる。
【符号の説明】
【００５７】
１０  サイフォン排水システム
１８  排水導入管
２２  サイフォン排水管
５０  貯留槽
５１Ａ  外壁部
５１Ｂ  底部
５１Ｃ  蓋部
５２  貯留空間
５３Ａ  流入口
５３Ｂ  流入口
５３Ｃ  流入口
５４  仕切壁部
５５Ａ  流出口
５５Ｂ  流出口
５５Ｃ  流出口
６１  第１角部
６２  第２角部
６３  第３角部
６７  第４角部
６４  第１水流変更部材
６６  第２水流変更部材
６８  第３水流変更部材
【図１】
2010270465.tif 000003
【図２】
2010270465.tif 000004
【図３】
2010270465.tif 000005
【図４】
2010270465.tif 000006
【図５】
2010270465.tif 000007
【図６】
2010270465.tif 000008
【図７】
2010270465.tif 000009
【図８】
2010270465.tif 000010
【図９】
2010270465.tif 000011
【図１０】
2010270465.tif 000012
【図１１】
2010270465.tif 000013
【図１２】
2010270465.tif 000014
【図１３】
2010270465.tif 000015
【図１４】
2010270465.tif 000016
【図１５】
2010270465.tif 000017
【図１６】
2010270465.tif 000018